(57)【要約】【課題】  簡単に照明方向を調整でき、従来の配光可変構造と比較して部品点数が削減され、組立工数を削減し、製造コストを低減できる照明器具を提供する。【解決手段】  照明器具１０において、表面１３にＬＥＤ１４を配置した器具本体１１と、器具本体１１の一側部１５と他側部１６とを挟み器具本体１１を保持する取付金具１２と、取付金具１２に設けられ器具本体１１を挟む第一起立部２１および第二起立部２２と、第一起立部２１の対向内方に形成され一側部１５を受け入れる第一保持部２５と、第二起立部２２の対向内方に複数段で形成されそれぞれが他側部１６を受け入れる第二保持部２６と、を設けた。一側部１５の厚みは他側部１６の厚みよりも大きく、第一起立部２１と第二起立部２２との起立高さは同等であることが好ましい。【選択図】  図１
2012146461.tif 000002
【特許請求の範囲】
【請求項１】
表面にＬＥＤを配置した器具本体と、
前記器具本体の一側部と他側部とを挟み該器具本体を保持する取付金具と、
前記取付金具に設けられ前記器具本体を挟む第一起立部および第二起立部と、
前記第一起立部の対向内方に形成され前記一側部を受け入れる第一保持部と、
前記第二起立部の対向内方に複数段で形成されそれぞれが前記他側部を受け入れる第二保持部と、を具備する照明器具。
【請求項２】
請求項１に記載の照明器具において、
前記一側部の厚みが前記他側部の厚みよりも大きく、
前記第一起立部と前記第二起立部との起立高さが同等である照明器具。
【請求項３】
請求項１または請求項２に記載の照明器具において、
前記一側部が円弧状の第一凸面を有するとともに、前記他側部が円弧状の第二凸面を有し、
前記第一保持部が前記第一凸面に沿う第一凹面を有するとともに、前記第二保持部が前記第二凸面に沿う第二凹面を有する照明器具。
【発明の詳細な説明】
【技術分野】
【０００１】
本発明は、光源から出射される照明光の照射角度が変更可能な照明器具に関する。
【背景技術】
【０００２】
従来より、照明光の照射角度が変更可能な照明器具が知られている（特許文献１等参照）。この種の照明器具として、例えば図４に示す照明器具１００は、器具本体１０１と、器具本体１０１から導出される電線１０２に設けられる本体側コネクタ１０３と、を備えている。また、照明器具１００は、本体側コネクタ１０３と接続される電源側コネクタ１０４を備えた電源コード１０５と、器具本体１０１を天井に取り付ける複数の取付金具１０６と、を備えている。取付金具１０６は、取付ねじ１０７にて天井に固定され、対向する一対の挟持片１０８にて器具本体１０１の所定箇所を挟んで保持する。器具本体１０１には複数のＬＥＤ１０９を表面１１０に設けた灯具１１１が水平回転できるように不図示の支持部材に支持されている。照明器具１００には回転操作可能な図５（Ａ）に示すダイヤル１１２が表出して設けられ、ダイヤル１１２は不図示の操作力伝達機構を介して灯具１１１を水平回転させる。ダイヤル１１２が操作されると、灯具１１１の表面１１０が図５（Ｂ）に示す鉛直軸１１３に対して所定角度θ（約３０度）で回転され、ＬＥＤ１０９から出射される照明光の照射角度が変更される。
【先行技術文献】
【特許文献】
【０００３】
【特許文献１】特開２０００−３４８５２８号公報（請求項１、図１）
【発明の概要】
【発明が解決しようとする課題】
【０００４】
しかしながら、上記した従来の照明器具１００は、器具本体１０１を水平回転させるための支持部材、ダイヤル１１２、操作力伝達機構が必要となり、部品点数が多くなる。また、部品点数が多いことから、部品コストが高く、組立工数も増えて、製造コストが増大していた。
【０００５】
本発明は上記状況に鑑みてなされたもので、簡単に照明方向を調整でき、従来の配光可変構造と比較して部品点数が削減されて、組立工数を削減でき、製造コストを低減できる照明器具を提供することにある。
【課題を解決するための手段】
【０００６】
本発明の照明器具は、表面にＬＥＤを配置した器具本体と、前記器具本体の一側部と他側部とを挟み該器具本体を保持する取付金具と、前記取付金具に設けられ前記器具本体を挟む第一起立部および第二起立部と、前記第一起立部の対向内方に形成され前記一側部を受け入れる第一保持部と、前記第二起立部の対向内方に複数段で形成されそれぞれが前記他側部を受け入れる第二保持部と、を具備するものである。
【０００７】
また、本発明の照明器具は、前記一側部の厚みが前記他側部の厚みよりも大きく、前記第一起立部と前記第二起立部との起立高さが同等なものである。
【０００８】
また、本発明の照明器具は、前記一側部が円弧状の第一凸面を有するとともに、前記他側部が円弧状の第二凸面を有し、前記第一保持部が前記第一凸面に沿う第一凹面を有するとともに、前記第二保持部が前記第二凸面に沿う第二凹面を有するものである。
【発明の効果】
【０００９】
本発明は、取付金具の形状が工夫されることにより、簡単に照明方向を調整できる。また、従来の配光可変構造と比較し、部品点数を削減でき、組立工数を削減し、製造コストを低減できる。
【図面の簡単な説明】
【００１０】
【図１】本発明に係る照明器具の分解斜視図
【図２】（Ａ）は図１に示した照明器具の表面が水平に配置された側面図、（Ｂ）は（Ａ）の照射方向が変更された側面図
【図３】図１に示した照明器具を用いたウォールウォッシャーの断面図
【図４】従来の照明器具の分解斜視図
【図５】（Ａ）は図４に示したダイヤル部分の拡大図、（Ｂ）は図４に示した照明器具の側面図
【発明を実施するための形態】
【００１１】
以下、本発明の実施形態を図面を参照して説明する。
図１は本発明に係る照明器具の分解斜視図である。
照明器具１０は、器具本体１１と、取付金具１２と、に大別構成される。照明器具１０は、長尺板状に形成され、表面１３には長手方向に沿って複数のＬＥＤ１４が所定間隔で配置されている。器具本体１１には、ＬＥＤ１４に点灯のための電力を供給する不図示の点灯電源装置が取り付けられてもよい。点灯電源装置は、器具本体１１から導出される不図示の電源コードを介して外部の商用電源に接続される。また、器具本体１１の外周には、ＬＥＤ１４の熱を放熱するための不図示の放熱フインが設けられていてもよい。
【００１２】
器具本体１１は、表面１３を挟む一側部１５と他側部１６とが長手方向に延在する。一側部１５と他側部１６とは、取付金具１２によって挟まれる。取付金具１２は、一側部１５と他側部１６とを挟むことにより、器具本体１１を保持する。つまり、器具本体１１は、取付金具１２の固定される被着体１７に取付金具１２を介して取り付けられることになる。取付金具１２の固定される被着体１７は、例えば天井、壁、棚となる。棚は、建築物に建て込まれるものの他、陳列用の什器に取り付けられるものであってもよい。
【００１３】
取付金具１２は、例えば板金加工によって矩形状に形成される基板部１８を有する。被着体１７には複数のねじ孔１９が穿設され、このねじ孔１９が固定ねじ２０によって被着体１７に固定される。基板部１８には垂直に起立して、器具本体１１を挟む一対の平行な第一起立部２１および第二起立部２２が設けられている。取付金具１２は、別体の基板部１８と、別体の第一起立部２１および第二起立部２２とを溶接等によって一体に固定してもよく、一枚の金属板を曲げ加工することにより単一の素材から形成してもよい。
【００１４】
取付金具１２は、ばね性を有して第一起立部２１および第二起立部２２が基板部１８から起立している。従って、第一起立部２１および第二起立部２２は、起立先端部２３が拡開方向（図１の左右方向）に移動されると、ばね性によって元の位置に復帰する。取付金具１２は、この拡開によって第一起立部２１および第二起立部２２の間に器具本体１１を挿入可能としている。第一起立部２１および第二起立部２２の起立先端側は、拡開方向に変位可能な自由端となる。それぞれの自由端には器具本体１１の挿入をガイドする逆ハ字状の案内片２４が形成されている。
【００１５】
なお、本実施形態では、第一起立部２１および第二起立部２２がばね性を備えた板状に形成されるが、この他、第一起立部２１および第二起立部２２は、それぞれがブロック状に形成されてもよい。この場合、それぞれの第一起立部２１および第二起立部２２は変形可能な素材で形成されるか、あるいは、その一方のみを変形可能な素材で形成する。変形可能な素材としては、例えばクッション性を有する発泡ゴムスポンジ、発泡ウレタン等を用いることができる。
【００１６】
第一起立部２１の対向内方には、器具本体１１の一側部１５を受け入れる第一保持部２５が形成されている。また、第二起立部２２の対向内方には、複数段で形成されてそれぞれが器具本体１１の他側部１６を受け入れる第二保持部２６が形成されている。
【００１７】
器具本体１１は、一側部１５の厚みが他側部１６の厚みよりも大きく形成されている。一方、取付金具１２は、第一起立部２１と第二起立部２２との起立高さが同等となるように形成されている。
【００１８】
また、器具本体１１は、一側部１５が円弧状の第一凸面２７を有するとともに、他側部１６が円弧状の第二凸面２８を有する。これに対し、器具本体１１の一側部１５と他側部１６とを挟む第一起立部２１および第二起立部２２のうち、第一保持部２５は、第一凸面２７に沿う第一凹面２９を有している。また、第二保持部２６は、第二凸面２８に沿う一対の第二凹面３０を有している。
【００１９】
本実施形態では、第二起立部２２に、第二保持部２６が二段で形成されている。この二つの第二保持部２６の境界部３１は、基板部１８から高さＨに設定される。第一保持部２５は、第一凹面２９の円弧中心が、基板部１８からこの高さＨとなるように形成される。従って、第一凹面２９に第一凸面２７を挿入した器具本体１１は、第二凸面２８を、上段の第二凹面３０と下段の第二凹面３０とに選択的に挿入される。
【００２０】
器具本体１１は、上段の第二凹面３０と下段の第二凹面３０との間を移動する際、離間距離の小さくなった（幅狭となった）境界部３１を通過する。通過の際には第一起立部２１および第二起立部２２が拡開されることにより離間距離が一時的に拡がり、第二凸面２８の選択的な移動が可能となっている。
【００２１】
本実施形態では、第二凸面２８が、第二保持部２６の上段（第二起立部２２の先端側）の第二凹面３０に配置されたときに、表面１３が基板部１８と平行となるように、器具本体１１の形状が形成されている。
【００２２】
次に、上記の構成を有する照明器具１０の作用を説明する。
図２（Ａ）は図１に示した照明器具１０の表面１３が水平に配置された側面図、（Ｂ）は（Ａ）の照射方向が変更された側面図である。
照明器具１０では、器具本体１１の一側部１５が第一起立部２１の第一保持部２５に受け入れられるとともに、他側部１６が第二起立部２２のいずれか一つの第二保持部２６に受け入れられる。これにより、器具本体１１が取付金具１２に挟まれた状態で保持される。図２（Ａ）に示すように、第二凸面２８が第二保持部２６の起立先端側の第二凹面３０に配置されると、表面１３は水平に配置される。このため、ＬＥＤ１４からの照射範囲の中心光線３２は、被着体１７の垂直線３３と平行な方向となる。
【００２３】
一方、一側部１５が第一保持部２５に受け入れられたまま、他側部１６が他の第二保持部２６へ移動されると、器具本体１１は、一側部１５を中心に他側部１６が回転され、表面１３の角度が変化する。すなわち、図２（Ｂ）に示すように、第二凸面２８が第二保持部２６の基板部寄りの第二凹面３０に配置されると、器具本体１１の表面１３が傾斜する。ＬＥＤ１４からの照射範囲の中心光線３２は、被着体１７の垂直線３３に対して所定の角度θ１をなす方向に変更される。これにより、表面１３に配置されたＬＥＤ１４の照射角度が変更されることになる。
【００２４】
また、照明器具１０では、回転中心側となる一側部１５と、この一側部１５を受け入れる第一保持部２５とが大きく形成でき、一側部１５の耐荷重が大きくなる。これにより、照明器具１０の重心を一側部側に設定でき、第一保持部２５に荷重のほとんどを担持させた状態で、照射角度の変更操作が安定して行えるようになる。
【００２５】
さらに、第一保持部２５が一側部１５を受け入れるとき、および第二保持部２６が他側部１６を受け入れるとき、円弧状の凹凸面同士が接し、器具本体１１の傾斜角度を変更する際の回転が円滑に行えるようになる。また、摺接面積が大きくなるので、応力集中が生じにくくなり、第一保持部２５および第二保持部２６の耐久性が高まる。
【００２６】
図３は図１に示した照明器具１０を用いたウォールウォッシャーの断面図である。
照明器具１０は、例えば商品を陳列する店舗、美術館や博物館等において、陳列・展示品を照明するためにも用いることができる。さらに、照明器具１０は、図３に示すように、建物壁面３４を照明する間接照明（所謂ウォールウォッシャー）としても用いることができる。
【００２７】
照明器具１０をウォールウォッシャーとして用いる場合には、天井部３５に天井面３６に凹設した照明器具収容部３７を形成する。照明器具収容部３７の内面は反射面３８とする。照明器具１０は、照明器具収容部３７の建物壁面側に起立させて設置する。この場合の設置は、第一保持部２５が下側となるようにする。垂直に設置した照明器具１０は、第二凸面２８が第二保持部２６の基板部寄りの第二凹面３０に配置される。これにより、照明光が、照明器具収容部３７の天面３９、収容部内側面４０に反射して建物壁面３４に照射され、ウォールウォッシャーとなる。
【００２８】
従って、本実施形態に係る照明器具１０によれば、取付金具１２の形状が工夫されることにより、簡単に照明方向を調整できる。また、従来の配光可変構造と比較し、部品点数を削減でき、組立工数を削減し、製造コストを低減できる。
【符号の説明】
【００２９】
１０  照明器具
１１  器具本体
１２  取付金具
１３  表面
１４  ＬＥＤ
１５  一側部
１６  他側部
２１  第一起立部
２２  第二起立部
２５  第一保持部
２６  第二保持部
２７  第一凸面
２８  第二凸面
２９  第一凹面
３０  第二凹面
【図１】
2012146461.tif 000003
【図２】
2012146461.tif 000004
【図３】
2012146461.tif 000005
【図４】
2012146461.tif 000006
【図５】
2012146461.tif 000007